(57)【要約】ブラシであって、捲縮構造及びＪ構造を有する複数の剛毛を備え、前記ブラシの端部の面において前記剛毛が十分に分布するようにし、前記剛毛の捲縮構造の大部分は、２ｍｍ〜５ｍｍの周期長かつ０．８ｍｍ以下のピーク間長さで構成され、前記Ｊ構造は、長尺の長さが、約０．０２インチ〜約１．２インチであり、前記長尺と短尺の長さとの差が約０．２インチ〜約０．５インチであるように構成される、ブラシ。
2020508716.tif 000002
【特許請求の範囲】
【請求項１】
ブラシであって、捲縮構造及びＪ構造を有する複数の剛毛を備え、前記ブラシの端部の面において剛毛が十分に分布するようにし、大部分の前記剛毛の捲縮構造は、２ｍｍ〜５ｍｍの周期長、かつ、０．８ｍｍ以下のピーク間長さで構成され、前記Ｊ構造は、長尺の長さが、約０．０２インチ〜約１．２インチであり、前記長尺と短尺の長さの差が約０．２インチ〜約０．５インチに構成される、ブラシ。
【請求項２】
請求項１に記載のブラシであって、大部分の前記剛毛が、約０．００２インチ〜約０．０２の直径を有する、ブラシ。
【請求項３】
請求項１に記載のブラシであって、前記長尺がテーパー状で終わり、前記短尺が、丸い端部、又は平坦な切断端部で終わる、ブラシ。
【請求項４】
請求項１に記載のブラシであって、前記剛毛は曲げられており、前記剛毛の曲げられた部分が、前記ブラシの基部の凹部内に挿入され、前記曲げられた剛毛が、前記Ｊ構造の前記長尺及び前記短尺を定める、ブラシ。
【請求項５】
請求項１に記載のブラシであって、前記剛毛は、異なる直径のブレンドの剛毛を含む、ブラシ。
【請求項６】
請求項５に記載のブラシであって、ミルが１インチの１０００分の１（０．００１）と定義される場合、７０質量％〜９０質量％の３ミルの剛毛と、５質量％〜２０質量％の４ミルの剛毛と、５質量％〜２０質量％の５ミルの剛毛とを含む、剛毛の総質量を有する、ブラシ。
【請求項７】
請求項１に記載のブラシであって、前記剛毛は、複数の断面形状を有する、ブラシ。
【請求項８】
請求項１に記載のブラシであって、前記剛毛は、中実及び中空剛毛を含む、ブラシ。
【請求項９】
請求項１に記載のブラシであって、前記剛毛は、ポリブチレンテレフタレートポリエステル、又は熱可塑性エラストマー、又はこれらの組み合わせから作られる、ブラシ。
【請求項１０】
請求項１に記載のブラシであって、複数の剛毛の房を備え、各房は、前記ブラシの基部において、他の房とスペースによって区切られており、前記剛毛は、前記ブラシの先端部において、前記剛毛を均一に分布させるよう、前記房の間のスペースを満たす、ブラシ。
【請求項１１】
液体化粧料を適用するための方法であって、約１５０〜約１８５Ｈｚの周波数、かつ、約１°〜１８°の間のピークトゥピークの振幅で振動して、請求項１のブラシで皮膚表面に液体化粧料を適用する工程を含む、方法。
【請求項１２】
ブラシ装置であって、
前記装置の電気機械共振器に結合したブラシヘッドであって、音波周波数で往復運動をするように構成されるブラシヘッドと、
前記ブラシヘッド又は前記装置上の一又は複数の磁石であって、前記一又は複数の磁石は鉄含有遊離粒子を引き付けるように構成される一又は複数の磁石と、
を備えるブラシ装置。
【請求項１３】
請求項１２に記載のブラシ装置であって、前記磁石は、永久磁石又は電磁磁石である、ブラシ装置。
【請求項１４】
請求項１２に記載のブラシ装置であって、
前記ブラシヘッド上に配置される一又は複数のブラシヘッド磁石と、
前記ブラシヘッドに隣接した前記装置上に配置される一又は複数の装置磁石とを備え、
前記一又は複数のブラシヘッド磁石は、第一の位置と第二の位置の間に配置可能であって、前記第一の位置は、前記ブラシヘッド磁石が磁場強度を有する位置であり、前記第二の位置は、前記ブラシヘッド磁石の磁場強度が減少するシャント位置である、ブラシ装置。
【請求項１５】
請求項１２に記載の装置であって、所定の時間の間オンであった後に前記装置を止めるタイマーを備える、装置。
【請求項１６】
請求項１２に記載の装置であって、前記ブラシヘッド磁石は、第一のリング上に配置され、前記装置磁石は、前記第一のリングに隣接する第二のリング上に配置され、前記第一のリングは、前記ブラシヘッド磁石を前記装置磁石と位置合わせするように回転可能である、装置。
【請求項１７】
ドライ化粧料を適用するための方法であって、
複数の剛毛を有し、音波周波数で往復運動するブラシで、皮膚表面にドライ化粧料を適用する工程を含み、大部分の前記剛毛は、３〜５ミルの直径、及び０．３〜０．７インチの長さである、方法。
【請求項１８】
請求項１７に記載の方法であって、前記ドライ化粧料は、ルースパウダー又はコンパクトケーキである、方法。
【請求項１９】
請求項１７に記載の方法であって、前記ブラシヘッドは、２°〜３°の振動振幅を有する、方法。
【請求項２０】
請求項１７に記載の方法であって、前記ブラシで皮膚細胞を剥離する工程を含む、方法。
【発明の詳細な説明】
【発明の概要】
【課題を解決するための手段】
【０００１】
概要
一態様において、ブラシは、捲縮構造及びＪ構造を有する複数の剛毛を備え、ブラシの端部の面において、剛毛が十分に分布するようにし、大部分の剛毛の捲縮構造は、２ｍｍ〜５ｍｍの周期長、かつ、０．８ｍｍ以下のピーク間長さで構成され、Ｊ構造は、長尺の長さが約０．０２インチ〜約１．２インチで構成され、長尺の長さと、短尺の長さとの差が、約０．２インチ〜約０．５インチである。
【０００２】
一実施形態において、大部分の剛毛は、約０．００２インチ〜約０．０２インチの直径を有する。
【０００３】
一実施形態において、長尺は、テーパー状で終わり、短尺は、丸い端部又は平坦な切断端部で終わる。
【０００４】
一実施形態において、剛毛は曲げられており、剛毛の曲げられた部分はブラシの基部の凹部に挿入され、曲げられた剛毛は、Ｊ構造の長尺及び短尺を定める。
【０００５】
一実施形態において、剛毛は、異なる直径の剛毛のブレンドを含む。
【０００６】
一実施形態において、ブラシは、７０質量％〜９０質量％の３ミルの剛毛と、５質量％〜２０質量％の４ミルの剛毛と、５質量％〜２０質量％の５ミルの剛毛とを含む、剛毛の総質量を有する。ここで、ミルは、１インチの１０００分の１（０．００１）と定義する。
【０００７】
一実施形態において、剛毛は複数の断面形状を含む。
【０００８】
一実施形態において、剛毛は中実及び中空剛毛を含む。
【０００９】
一実施形態において、剛毛は、ポリブチレンテレフタレートポリエステル、又は熱可塑性エラストマー、又はこれらの組み合わせから作られる。
【００１０】
一実施形態において、ブラシは、複数の剛毛の房を備え、各房は、ブラシの基部において、他の房からスペースによって区切られており、剛毛は、ブラシの先端部において、剛毛を均一に分布させるよう、房の間のスペースを満たす。
【００１１】
一態様において、液体化粧料を適用するための方法は、約１５０〜約１８５Ｈｚの周波数、かつ、約１°〜１８°の間のピークトゥピークの振幅で振動して、請求項１のブラシで皮膚表面に液体化粧料を適用する工程を含む。
【００１２】
一態様において、ブラシ装置は、装置の電気機械共振器に結合したブラシヘッドであって、音波周波数で往復運動をするように構成されるブラシヘッドと、ブラシヘッド又は装置上の一又は複数の磁石であって、鉄含有遊離粒子を引き付けるように構成される一又は複数の磁石と、を備える。
【００１３】
一実施形態において、磁石は、永久磁石又は電磁磁石である。
【００１４】
一実施形態において、ブラシは、ブラシヘッド上に配置される一又は複数のブラシヘッド磁石と、ブラシヘッドに隣接した前記装置上に配置される一又は複数の装置磁石とを備え、一又は複数のブラシヘッド磁石は、第一の位置と第二の位置の間に配置可能であって、第一の位置は、ブラシヘッド磁石が磁場強度を有する位置であり、第二の位置は、ブラシヘッド磁石の磁場が減少するシャント位置である。
【００１５】
一実施形態において、ブラシは、所定の時間の間オンになった後、前記装置を止めるタイマーを備える。
【００１６】
一実施形態において、ブラシヘッド磁石は、第一のリング上に配置され、装置磁石は、第一のリングに隣接する第二のリング上に配置され、第一のリングは、ブラシヘッド磁石を装置磁石と位置合わせするように回転可能である。
【００１７】
一態様において、ドライ化粧料を適用するための方法は、複数の剛毛を有し、音波周波数で往復運動するブラシで、皮膚表面にドライ化粧料を適用する工程を含み、前記大部分の剛毛は、３〜５ミルの直径、かつ、０．３〜０．７インチの長さを有する。
【００１８】
一実施形態において、ドライ化粧料は、ルースパウダー又はコンパクトケーキである。
【００１９】
一実施形態において、ブラシヘッドは２°〜３°の振動振幅を有する。
【００２０】
一実施形態において、方法は、ブラシで皮膚細胞を剥離する工程を含む。
【００２１】
この概要は、以下の詳細な説明においてさらに説明される、簡略化された形態の概念の選択を紹介するために提供されるものである。この概要は、クレームされた発明の主要な特徴を特定することを意図しておらず、クレームされた発明の範囲を決定する際の補助として使用されることも意図していない。
【図面の簡単な説明】
【００２２】
前述の態様及び本発明に付随する利点の多くは、添付の図面と併せて以下の詳細な説明を参照することにより、より良く理解されるにつれて、より容易に認識されるであろう。
【図１】図１は、一実施形態による、振動装置及びブラシを有するブラシヘッドアタッチメントの概略図である。
【図２】図２は、一実施形態による、ブラシヘッドアタッチメントの断面図の概略図である。
【図３】図３は、一実施形態による、ブラシを作るために用いられる剛毛の概略図である。
【図４】図４は、一実施形態による、ブラシを作るために用いられる剛毛の概略図である。
【図５】図５は、一実施形態による、振動装置の概略図である。
【図６Ａ】図６Ａは、一実施形態による、振動装置の一部の概略図である。
【図６Ｂ】図６Ｂは、一実施形態による、振動装置の一部の概略図である。
【発明を実施するための形態】
【００２３】
詳細な説明
以下に記載される詳細な説明は、添付の図面と関連し、図面は同じ番号が同じ要素を示すものであり、開示された本発明の様々な実施形態の説明として意図されており、唯一の実施形態を表すことを意図するものではない。本開示に記載された各実施例は、単に一例として、又は例示として提供されるものであり、他の実施形態よりも好ましい、又は有利であるとして解釈されるべきではない。本明細書で供される例示例は、網羅的であること、又はクレームされた本発明を開示された寸分違わない形態に限定することを意図するものではない。
【００２４】
次の説明では、スキンケアに関する装置の例、より具体的には、対象者の体の任意の表層部のスキントリートメントのためのパーソナルケア装置に用いるのに適した、ブラシ及び交換可能なブラシヘッドに関する例を供するものである。
【００２５】
次の説明では、本開示の一又は複数の実施形態の十分な理解を供するために、多くの具体的な詳細が記載されている。しかしながら、本開示の多くの実施形態は、具体的な詳細のうちのいくつか又は全てがなくとも実施することができることが、当業者には明らかであろう。さらに、本開示の実施形態は、本明細書に記載された特徴の、任意の組み合わせを採用することができることが理解されよう。
【００２６】
図１を参照すると、ブラシヘッド２０に取り付けられたブラシ３０の一例が示されている。一実施形態において、ブラシ３０は剛毛の集合を有し、剛毛のフィールドを定める。ブラシ３０及びブラシヘッド２０は、装置２２のようなパーソナルケア装置に用いるのに適している。一実施形態において、ブラシヘッド２０は、組成物、例えば、リキッドファンデーション、化粧料、ローション、クリーム、パウダー等を適用するために、対象者の皮膚の上で、パーソナルケア装置２２によって回転し、振動し（ｖｉｂｒａｔｅｄ）、往復運動し、振動し（ｏｓｃｉｌｌａｔｅｄ）、又は鼓動する。特には、ドライ化粧料を適用するための方法の一実施形態が開示され、液体化粧料を適用するための、別の実施形態が開示される。
【００２７】
一態様において、ブラシ３０が開示される。一実施形態において、ブラシ３０は、ブラシヘッド２０上に、装置２２に用いられるように構成される。しかしながら、ブラシ３０の他の実施形態は、木製又はプラスチック製のハンドルに取り付けられるように構成される（図示せず）。一実施形態において、振動装置２０及び捲縮した剛毛を有するブラシ３０は、リキッドファンデーションを含む液体を、皮膚、顔、又は体の他の領域に対して適用するために用いられる。この方法により、手による適用よりも、より滑らかなリキッドファンデーションの適用が可能となり、細かいシワ、毛穴、及び皮膚の欠陥の視認性を軽減し、長時間のもちを維持する結果となる。
【００２８】
図１に示されるように、ブラシヘッド２０は、外側に面する外側面４８を含む。反対側は装置２２に接続されている。示された実施形態においては、ブラシヘッド２０は、ほぼ円筒形の断面を有するが、他の幾何学的断面（すなわち、三角形、楕円形、小葉形、正方形等）を採用することもできる。一実施形態において、ブラシヘッド２０は、ナイロン、ポリプロピレン、ポリウレタン、ポリエチレン等のような、プラスチックで構成されるが、アルミニウム、チタニウム等のような金属を含む他の材料を利用することもできる。一実施形態において、ブラシヘッド２０は、プラスチック及び金属の組み合わせから構成される。
【００２９】
ブラシヘッド２０は、ブラシ部又はブラシ３０を含む。図２は、ブラシヘッド外側表面４８の付近で切断した、ブラシ３０の断面図の概略図であり、ブラシ３０が、複数の房３２から構成されることが理解される。言い換えれば、ブラシ３０は、単一の剛毛の集合から構成されていない。各房３２は、複数の剛毛を含む。一実施形態において、ブラシヘッド表面４８上の房３２は、ブラシヘッド表面４８上に、様々なプロファイル、又は形状で配置されている。例えば、房３２は、ひし形、正方形、円形、三角形、雪片形状等に配置されている。図２に見られるように、各房３２は、ブラシヘッド２０の基部において、他の房とスペースで区切られている。しかしながら、房３２の剛毛が捲縮すると、捲縮した剛毛は、ブラシの先端部３０において、剛毛を均一に分布させるよう、房３２の間のスペースを満たす。
【００３０】
一実施形態において、ブラシヘッド外側表面４８は、複数の凹部を含み、各凹部は、一房の剛毛を保持する。一実施形態において、各凹部は互いに離れており、したがって、外側表面４８の房３２は互いに離れている。個々の剛毛の特性は、ブラシ３０の先端部３４で、個々の房３２を認識することができないようなものである。言い換えれば、剛毛の先端部は、房３２としてよりも、むしろ均一に分布した剛毛として見える。一実施形態において、個々の房３２を作る剛毛は、一又は複数の捲縮を含む。捲縮は、個々の房３２とは対照的に、ブラシ３０の先端部表面３４において、ブラシ３０に剛毛の均一な分布をもたらす。一実施形態において、全ての剛毛の長さは同じようなものであるため、ブラシ３０の先端部表面３４は、平らに見える。別の実施形態において、剛毛の長さは、中央においてより長く、放射状の方向に沿って短くなる。そのため、ブラシ３０は、頂点又はテーパーを有する。
【００３１】
一実施形態において、各房３２は、約１０〜３６０の個々の剛毛を含む。一実施形態において、各房３２は、約２０〜１８０の個々の剛毛を含む。一実施形態において、各房は、一房あたり１２０〜１８０の剛毛を含み、０．０７０インチの房穴が供される。一実施形態において、適用表面における剛毛チップの密度は、平方インチ当たり約１０、０００〜１５、０００チップ、又はその間の任意の値である。一実施形態において、適用表面における剛毛チップの密度は、平方インチ当たり約７、５００〜２０、０００チップ、又はその間の任意の値である。
【００３２】
一実施形態において、剛毛は、約０．２０インチ（５．０８ミリメートル）〜約１．２インチ（３０．４８ミリメートル）、又はそれ以上の長さを有し（表面４８から表面３４まで）、約０．００２インチ（０．０５０８ミリメートル）〜約０．０２０インチ（０．５０８ミリメートル）の範囲又はそれ以上の直径を有する。一実施形態において、全ての剛毛長さが同じというわけではない。いくつかの実施形態においては、剛毛の１つの房は、他の剛毛の房よりも、より長い長さを有することができる。一実施形態において、ブラシ３０の中心付近の房３２は、より長い剛毛を有し、剛毛の長さは、房が放射状に外側に向かって配置されるにつれて、減少する。一実施形態において、剛毛の長さは、単一の房３２の中でさえも一様でない。剛毛は、制限されるものではないが、エラストマー、コエラストマー、ポリマー、コポリマー、及びそれらのブレンド又は組み合わせ等を含む様々な材料から構成される。別の実施形態において、剛毛は、哺乳類の毛又は毛皮のような天然物とすることができる。
【００３３】
一実施形態において、一又は複数の剛毛ポリブチレンテレフタレート（ＰＢＴ）ポリエステル、又は熱可塑性エラストマー（ＴＰＥ）、又はＴＰＥ／ＰＢＴブレンドから構成される。代表的な剛毛は、ＤｕＰｏｎｔＴｙｎｅｘ（登録商標）、ＳｕｐｅｒｓｏｆｔＨｙｔｒｅｌ（登録商標）熱可塑性エラストマー剛毛、又はソニック適用に適した高性能テクスチャー添加剤を含むＤｕＰｏｎｔＮａｔｒａｆｉｌ（登録商標）ポリエステルから構成される。異なるブレンドのＤｕＰｏｎｔＴｙｎｅｘ（登録商標）ナイロン（すなわち、６、６．１０、６．１２等）のような、異なる曲げ特性を有する剛毛もまた、その意図する用途、及び所望の特性に応じて選択される。ＤｕＰｏｎｔＴｙｎｅｘ（登録商標）ＰＴＦＥを含む、他のＤｕＰｏｎｔＴｙｎｅｘ（登録商標）ナイロンが剛毛の構成に採用される。ＤｕＰｏｎｔＴｙｎｅｘ（登録商標）ＰＴＦＥは、すなわち、Ｎｙｌｏｎ６．１２である（すなわち、０９０６）。一実施形態において、剛毛はエラストマーから構成されるか、又はエラストマーを含む。一実施形態において、剛毛は、エラストマー（例えば、ＴＰＥ）内部コア及びポリマー（例えば、ＰＢＴ）外側ジャケットを含む。ＤｕＰｏｎｔ材料は、本明細書において、その商品名を用いて言及されているが、一般的な均等物及び変形形態は、ポリプロピレン、ＤｕＰｏｎｔＢｙｎｅｌ（登録商標）のようなポリエチレン、加えてこれらの組み合わせ又はブレンド等も使用に適するものと理解される。
【００３４】
一実施形態において、剛毛は、特に制限されるものではないが、中実又は中空、円形、長方形、星型、ひし形、Ｘ字型、四葉型の断面を含み、テクスチャーで加工された表面もまた含む。一実施形態において、添加物を添加することによって、音波共鳴特性を高めるか、又は抗菌効果のための銀ゼオライトのようにさらなる利点を供することができる。一実施形態において、添加物は、剛毛の表面エネルギーを改変し、表面エネルギーを制御するために用いられる。一実施形態において、剛毛は、微生物の生長を防ぐのを助ける抗微生物性添加物もまた、含む。
【００３５】
図３を参照すると、剛毛部１００の概略図が示されている。剛毛１００は、剛毛の長さ方向に沿った捲縮構造を２以上含む。一実施形態において、剛毛１００における捲縮構造は、２ｍｍ〜５ｍｍの捲縮周期長１０２（Ｌ１）、及び０．８ｍｍ以下のピーク間長さ１０４（Ｌ２）、又はこれらの範囲内における任意の値を有するものと規定される。一実施形態において、剛毛１００における捲縮構造は、１ｍｍ〜１０ｍｍの捲縮周期長１０２（Ｌ１）、及び１．６ｍｍ以下のピーク間長さ１０４（Ｌ２）、又はこれらの範囲内における任意の値を有するものと規定される。一実施形態において、剛毛１００における捲縮構造は、０．５ｍｍ〜２０ｍｍの捲縮周期長１０２（Ｌ１）、及び３．２ｍｍ以上のピーク間長さ１０４（Ｌ２）、又はこれらの範囲内における任意の値を有するものと規定される。
【００３６】
剛毛１００を捲縮するための方法は、一般に、熱及び圧力の適用、又は溝付きロールの間の剛毛１００をロールすることによるものを含む。剛毛１００を捲縮するための他の方法は、剛毛１００が押し出されるとき、ノズル出口に向けられた高圧空気の注入を含む。捲縮するための他の方法は、捲縮ヘッドのマッチングセットの使用を含み、ここでヘッド（ダイ）は、キャビティを有し、相手方のヘッド（アンビル）は、剛毛１００をキャビティに押し付け、捲縮構造を形成する。実施形態は、いずれの特定の製造方法にも限定されない。
【００３７】
一実施形態において、複数の捲縮した剛毛１００は接合され、個々の房３２を構成する。一実施形態において、複数の個々の房３２は、ブラシ３０を形成する。一実施形態において、捲縮構造を有する複数の剛毛１００は、ブラシ３０の先端部において、均一に分布した剛毛表面３４を形成する。一実施形態において、均一な剛毛表面とは、ブラシ３０を剛毛端部から見たとき、剛毛端部が互いに均一に間隔を空けており、視覚的に識別可能な房を有しない外観をもたらすことを意味する。言い換えれば、剛毛端部は、互いに均一に間隔を空けている。一実施形態において、捲縮構造を有する剛毛は、一緒に複数の房に結合され、例えば、リキッドファンデーションのより滑らかな適用もたらす。
【００３８】
一実施形態において、剛毛の捲縮により、ブラシは、より豊か、かつ、よりふさふさして見えるような外観となり、歌舞伎メイクアップブラシのような外観となる。現在の化粧料ブラシは、大量の剛毛を収集し、次に、それらを一緒に接着し、融着することによって、作られている。これにより、ブラシ全体に渡って、均一／規則的な剛毛間隔の分布を有する効果がもたらされる。房状のブラシ構造（ステープルセット又はアンカーフリー）では、典型的な剛毛は直立する傾向があり（房状の場合）、房の間に明確なスペースを形成し、ブラシの端部においてでさえも、空いたスペースを形成する。これらの房の間のスペースは、化粧料を適用するとき「すじ」を引き起こす可能性がある。なぜならば、房の端部は、リキッドファンデーションを、房の間の隙間に押し込む可能性があるためである。したがって、剛毛１００を捲縮することによって、ブラシは、ステープルセット房を有し、筋のような問題を克服することを達成する。
【００３９】
一実施形態において、房３２は、ある比率で混合した複数の直径を有する捲縮した剛毛１００を含む。捲縮構造を有する複数の剛毛１００は、振動装置２２の操作において、安定性及び慣性という利点を有し得る。
【００４０】
一実施形態において、捲縮した剛毛１００は、図４に示されるように、Ｊオフセット構造を備える個々の房３２に構成される。図４は、曲げられた剛毛１００が配置されている凹部２１０を示す。各房３２は、複数の剛毛１００を含むであろうことが理解される。剛毛１００は曲げられており、曲げられた側が、凹部２１０の内部に配置されている。したがって、剛毛１００は、長尺２０２及び短尺２０６を有する。長さの差２０８をＪオフセットと呼ぶ。一実施形態において、Ｊオフセット又は高さの差２０８は、０．２０インチ〜０．５０インチまで変化し得る。一実施形態において、Ｊオフセット又は高さの差２０８は、０．１０インチ〜１．０インチまで変化し得る。一実施形態において、Ｊオフセット又は高さの差２０８は、０．０５インチ〜１．５インチまで変化し得る。一実施形態において、剛毛１００は、約０．２０インチ（５．０８ミリメートル）〜約１．２インチ（３０．４８ミリメートル）又はそれより大きい長尺又は高さ２０２を有し、約０．００２インチ（０．０５０８ミリメートル）〜約０．０２０インチ（０．５０８ミリメートル）の範囲又はそれより大きい直径を有する。一実施形態において、剛毛１００は、約０．５０インチ〜約２．５インチの長尺又は高さ２０２を有し、約０．００１インチ〜約０．０５インチの範囲の直径を有する。一実施形態において、ブラシ３０の剛毛１００は、捲縮構造及びＪ構造を含む。
【００４１】
一実施形態において、剛毛１００は、長尺の端部２０２に、超微細テーパー２０４を有し、短尺の長さの端部２０６に丸み（非テーパー状端部）を有する。一実施形態において、剛毛１００上の、長尺の端部２０２に超微細テーパー２０４を用い、短尺の長さ２０６に、略円形状の非テーパー状端部を有することによって、ファンデーションを適用する際の剥離の影響が最小限になる。リキッドファンデーションの適用と同時の剥離は、剥離した皮膚がファンデーションに混入し、再び皮膚に適用され、不均一な仕上がりとなる可能性を有する。一実施形態において、ブラシ３０の剛毛１００は、捲縮構造、Ｊ構造、長尺２０２におけるテーパー状端部、及び短尺の端部２０６における丸い形状の端部、又はこれらの任意の組み合わせを含む。
【００４２】
一実施形態において、超微細テーパーの定義は、剛毛１００のテーパー状端部上のテーパー長さ２０４が、２ｍｍよりも大きいことである。一実施形態において、超微細テーパーの定義は剛毛１００のテーパー状端部上のテーパー長さ２０４が５ｍｍよりも大きいことである。一実施形態において、超微細テーパーの定義は、剛毛１００のテーパー状端部上のテーパー長さ２０４が、１１ｍｍよりも大きいことである。テーパー部は、剛毛１００の直径が、剛毛の最大直径よりも小さくなるところから始まる。
【００４３】
一実施形態において、ブラシ３０におけるＪオフセット構造は、性能上の利点を供する。一実施形態において、Ｊオフセット構造は、適用中に、非テーパー状端部を、皮膚との相互作用からより遠ざけることによって、剥離のリスクを最小化する。一実施形態において、Ｊオフセット構造は、剛毛密度が、Ｊオフセットより下で増加するように剛毛密度差を形成し、それによって、リキッドファンデーションが、さらに剛毛に沿って下に移動することを妨げる。一実施形態において、Ｊオフセットは、房３２における、又はブラシ３０における全ての剛毛について、同様である。一実施形態において、Ｊオフセットは、房３２の剛毛間において、又はブラシ３０全体において、異なる。
【００４４】
一実施形態において、振動ソニック技術と組み合わせた場合、より大きな直径の剛毛（例えば、直径５ミルよりも大きい）における、細かい先端プロファイル／形状（例えば、先端の断面図／直径が２ミル（０．００２"）未満）もまた、より均一な適用を供する。
【００４５】
一実施形態において、剛毛１００のブレンドは、植毛の前に、質量及び／又は繊維直径により、剛毛をグループ又は束にまとめることによって、制御される。一実施形態において、剛毛１００のブレンドは、質量で５％〜９５％に測定される複数の部分を有する。例えば、一実施形態において、剛毛１００のブレンドは、以下の比率を有する。４８グラム（８０質量％）の３ミルの剛毛、６グラム（１０質量％）の４ミルの剛毛、６グラム（１０質量％）の５ミルの剛毛（ここで、ミル１インチの１０００分の１を示す）。一実施形態において、剛毛１００のブレンドは、３ミルの剛毛を７０質量％〜９０質量％を有する。一実施形態において、剛毛１００のブレンドは、４ミルの剛毛を１質量％〜２０質量％有する。一実施形態において、剛毛１００のブレンドは、５ミルの剛毛を１質量％〜２０質量％有する。上記の全てにおいて、剛毛は捲縮構造を含む。一実施形態において、剛毛１００は、捲縮構造、Ｊオフセット構造、テーパー状の長尺端部、及び丸い短尺端部を含む。
【００４６】
捲縮を有する混合直径剛毛によって、十分に軽い質量を維持し、ほとんどの共鳴振動装置とより効果的に結合しつつ、ブラシの外観より豊かにすることができる。
【００４７】
一態様において、リキッドファンデーション、又は他の任意の液体化粧料を適用する方法は、液体化粧料と接触するブラシを振動する工程を含み、ブラシは、捲縮構造、Ｊオフセット構造、又は、捲縮構造及びＪオフセット構造の両方を有する剛毛１００の複数の房を含む。一実施形態において、剛毛１００テーパー状の長尺の端部及び丸い形状の短尺の端部をさらに含む。一実施形態において、剛毛１００は、示された比率のブレンド直径剛毛を含む。一実施形態において、振動ブラシヘッド２０は、４０〜３５０Ｈｚの間で動作する。一実施形態において、振動ブラシヘッド２０は、周波数１５０〜１８５Ｈｚの間で動作する。一実施形態において、振動ブラシヘッド２０は、ピークトゥピークの角度振幅１〜１８度の間で振動する。一実施形態において、振動ブラシヘッド２０は、ピークトゥピークの角度振幅１〜１８度の間で振動する。
【００４８】
一実施形態において、液体組成物は、リキッドファンデーションを含む。一実施形態において、液体組成物は、皮膚に適用される。一実施形態において、皮膚は顔である。一実施形態において、方法は、皮膚の乾燥剥離をさらに含み、それは化粧料、及び混合物が皮膚表面に滑らかに適用されるように皮膚表面を準備するのに役立つ。
【００４９】
方法は、例えば、指先、スポンジ等を使用して、ある量のファンデーションを皮膚に適用する工程を、さらに含む。次に、頬から始め、装置２２を円運動で動かすことにより、装置ブラシヘッドの組み合わせが用いられる。一実施形態において、圧力は全く、又はほとんど、加えられない。ファンデーションのブレンドは、額、鼻、及びあごの領域を、この順序で含むことができる。一実施形態において、鼻、目の下、眉の上及び間、並びに唇周辺領域のような、コーナー及びカーブ周辺に、より長い剛毛が用いられる。上記の工程を用いることもまた、リキッドファンデーションが、より深くブラシの中に入るようになることを防ぐことができ、したがって、より簡単に清潔にし、衛生的な状態を維持することができる。
【００５０】
別の態様において、ドライファンデーションを適用するための方法が開示される。一実施形態において、ドライ化粧料は、音波領域で振動する装置２２を用いて、適用される。ドライ化粧料は、パウダー、及びプレスされたケーキのようなコンパクト化粧料を含む。この方法により、過度のエアロゾルを形成することなくより効果的な適用となり、滑らか光沢のある外観となる。
【００５１】
図５は、化粧料のソニック適用のための装置２２の構成要素を示す概略図である。装置２２は、電源４０２を含む。一実施形態において、電源はバッテリーを含む。一実施形態において、電源は交流を含む。別の実施形態において、電源は交流であり、装置は、ＡＣ−ＤＣ変圧器を含む。装置２２は、オン／オフ制御を含む。一実施形態において、オン／オフ制御は、手動で操作されるスイッチである。しかしながら、別の実施形態において、オン／オフ制御は、タイマー、ブロック４０６に基づく。装置２２は、電力変調回路を含む。一実施形態において、電力変調回路は、周波数（Ｈｚ）及び振動の振幅（度）を調整及び制御することができる回路を含む。一実施形態において、装置は、電気機械共振器、ブロック４１０を含む。電気機械共振器は、電気の印加により選択される周波数及び振幅で、共振又は振動する装置である。装置２２は、接触要素、ブロック４１２を含む。一実施形態において、接触要素は、ブラシヘッド２０及びブラシ３０を含む。
【００５２】
一実施形態において、ブラシヘッド２０に一又は複数の磁石を追加することにより、化粧料を供給源から除去するとき、及び化粧料を適用するとき、生成されるエアロゾルの量が減少する。ブラシ３０は、ダストクラウドを生成するであろうと予想されるが、しかしながら、特定の振幅及び周波数によって、過度の蓄積を防ぎつつ、剛毛をパウダーでコートすることが可能となる。ブラシヘッド２０を囲う一又は複数の磁石もまた、エアロゾルの低減に役に立つ。次に、化粧料を含んだブラシが化粧料を必要とする皮膚に対して接触し、音の周波数で振動させる。これにより、化粧料は皮膚へと移る。適用工程中に、剛毛は、軽く付着した乾燥皮膚細胞をほぐし、除去もする。これらの細胞は、細胞が化粧料でコートされ、視覚的に強調されるため、手作業で適用された化粧料は、フレーク状でむらがあるように見えるようになる可能性がある。方法の一実施形態において、細胞の剥離によって、化粧料は、以前は剥離した細胞が占めていた領域を占めるようになり、その結果、滑らかで光沢のある外観となる。一実施形態において、ソニック適用は、皮膚細胞の乾燥剥離を含む。典型的には消費者は、剥離クレンザーを用いて、過度の乾燥又は死んだ皮膚細胞の蓄積を除去する。しかしながら、音波周波数で振動するブラシが、この蓄積を優しく除去するために用いられる。
【００５３】
一実施形態において、方法は、特に制限されるものではないが、ファンデーション、チーク、ブロンザー、アイシャドウ、アイライナー、コンシーラー、及びアイブロウ化粧料を含むドライ化粧料の適用ためのものである。一実施形態において、ドライ化粧料は、酸化鉄顔料を含む。一実施形態において、ファンデーションは、ルースパウダー又はプレスされたケーキファンデーションである。一実施形態において、ファンデーションは、欠陥を隠し、皮膚により健康的な外観をもたらすために、酸化鉄のような顔料を含む。一実施形態において、ブロンザーは、ファンデーションに類似するが、消費者に日焼けした外観をもたらすために身体に用いられる。一実施形態において、チークは、ファンデーションに類似するが、赤い色相を含む。チークは、ベースファンデーションが適用された後に、顔の頬に適用される。赤い色相は、健康的な輝きをもたらし、頬骨をより高くする錯覚を形成するために用いることができる。一実施形態において、コンシーラーは、ファンデーションの一種である。コンシーラーは、例えば、目の下のくまや、明白な静脈を有する薄いまぶたをも、隠すために又は見せないようにするために、用いられる。一実施形態において、アイシャドウは、目の虹彩を強調するためにまぶたに適用される、高度に着色されたパウダーを含む。
【００５４】
一実施形態において、ドライ化粧料のソニック適用のための剛毛の材料は、特に制限されるものではないが、Ｔｙｎｅｘ（登録商標）ナイロン剛毛、Ｓｕｐｅｒｓｏｆｔエラストマーポリマー（Ｈｙｔｒｅｌ（登録商標））、又はこれらの組み合わせを含む。一実施形態において、剛毛特性は、テーパー状、又は丸い形状、又は組み合わせである先端特性を含む。一実施形態において、ドライ化粧料を適用する方法は、剛毛を有するブラシを用いる工程を含み、剛毛は、３〜５ミルの直径、かつ、０．３〜０．８ｍｍの長さ、又はこれらの範囲の間の任意の値である。一実施形態において、剛毛特性の最適な範囲は、ハンドルによって生成される音響エネルギー（周波数及び振幅）に応じる。
【００５５】
一実施形態において、ドライ化粧料を適用する方法は、２〜３度の振幅で振動するブラシヘッドを含む。一実施形態において、ドライ化粧料を適用する方法は、１〜５度の振幅又は範囲内の任意の振幅で振動するブラシヘッドを含む。
【００５６】
ソニック適用を介したドライ化粧料の適用において、いくつかの利点を認めることができる。一実施形態において、ソニッククレンジングブラシの連続使用後は、化粧料のより滑らかな適用が認められる。一実施形態において、皮膚が、ソニックを用いてクレンジングされた場合、ドライ化粧料はより滑らかになる。一実施形態において、ドライ化粧料を、ソニック適用を用いて直接皮膚に適用すると、過度のダストエアロゾルのない、均一及び光沢のある外観が得られる。一実施形態において、ソニック適用は、ゆるく付着した皮膚細胞を除去することによって、皮膚を準備し、優れた被覆率で、最小の必要化粧料層ともなる。一実施形態において、細胞は、機械的刺激を含む様々な刺激に応答することが知られている。一実施形態において、ソニック作用は、血流を増加させ、細胞を活性化し、分裂を促進し、コラーゲンを増加させる。
【００５７】
一実施形態において、ブラシヘッド２０は、磁石を含む。一実施形態において、磁石は、ドライ化粧料の一般的な成分である酸化鉄を、拾い上げる。一実施形態において、化粧料がブラシによって拾い上げられるとき、及びその適用の間、磁石は、過度のエアロゾル及び飛散を防ぐ。
【００５８】
図６Ａ及び６Ｂを参照すると、磁気ブラシヘッド３２０は、本明細書において記載されたような剛毛を有するブラシ部３００を含む。ブラシ部３００は、一又は複数の磁石３０６を有する外側リング３０２に、はめ込まれるか、又はそうでない場合取り付けられる。図６Ａに示されるように、個別のブラシヘッド磁石３０６は、例えば、外側リング３０２の１２時及び６時の位置に配置することができる。一実施形態において、外側リング３０２は、音波周波数で前後に振動するブラシヘッド３０に取り付けられる。装置２２をオンにして用いるとき、磁石３０６は、残余の化粧料を蓄積する。一実施形態において、第二の内側リング３０４は、内側リング３０２の隣に配置される。そのため、内側リング３０２及び外側リング３０４の平らな表面が互いに向き合う。一実施形態において、第二の内側リング３０４は、装置２２に対して静止している。一実施形態において、図６Ａに示されるように、外側リング３０２は、例えば、３時及び９時の位置に、個別の装置磁石３０８を有する。一実施形態において、外側リング３０２は、回転可能であり、図６Ｂに示されるように、外側リングブラシヘッド磁石３０６と、内側リング装置磁石３０８が整列するように、シフトされ（例えば、９０度）、したがって、対向し、及び残余の化粧料を磁石３０６から落下させる磁場を相殺する。
【００５９】
一実施形態において、磁石３０４及び３０８は永久磁石である。一実施形態において、図６Ｂのように、外側リング３０２は、内側リング３０４と共に配置され、そのため、永久磁石３０６、３０８は、シャント位置にあり、化粧料を落下させる磁器保持力がほとんどない。一実施形態において、磁石は永久磁石ではない。一実施形態において、磁石は電磁石であり、磁石の表面を清潔にすることができるよう、オフにすることができる。
【００６０】
一実施形態において、装置２２をオンにすると、タイマーシーケンスが開始される。一実施形態において、タイマーは、一定の期間の後にタイムアウトするように設定され、装置２２を自動的に止める。タイマーの期間は、数秒から無限のタイムアウト（ユーザーが、装置をオフにしなければならない）に設定することができる。一実施形態において、動作期間は１５秒である。
【００６１】
一態様において、ブラシは、捲縮構造を有する複数の剛毛を備え、ブラシの端部の面において、剛毛が十分に分布するようにし、剛毛の捲縮構造の大部分は、２ｍｍ〜５ｍｍの周期長、かつ、０．８ｍｍ以下のピーク間長さで構成される。一実施形態において、ブラシは、長尺が約０．０２インチ〜約１．２インチであり、前記長尺と短尺の長さとの差が、約０．２インチ〜約０．５インチに構成されるＪ構造を、さらに備える。一実施形態において、大部分の剛毛は、約０．００２インチから約０．０２の直径を有する。一実施形態において、長尺は、テーパー状で終わり、短尺は、丸い端部、又は平坦な切断端部で終わる。一実施形態において、剛毛は曲げられており、剛毛の曲げられた部分は、ブラシの基部の凹部内に挿入され、曲げられた剛毛が、Ｊ構造の長尺及び短尺を定める。一実施形態において、剛毛は、異なる直径の剛毛のブレンドを含む。一実施形態において、ブラシは、７０質量％〜９０質量％の３ミルの剛毛と、５質量％〜２０質量％の４ミルの剛毛と、５質量％〜２０質量％の５ミルの剛毛とを含む、剛毛の総質量を有する。ここで、ミルは、１インチの１０００分の１（０．００１）と定義される。一実施形態において、剛毛は、複数の断面形状を含む。一実施形態において、剛毛は、中実及び中空剛毛を含む。一実施形態において、剛毛は、ポリブチレンテレフタレートポリエステル、又は熱可塑性エラストマー、又はこれらの組み合わせから作られる。一実施形態において、ブラシは、複数の剛毛の房を備え、各房は、ブラシの基部において、他の房とスペースによって区切られており、剛毛は、ブラシの先端部において、剛毛を均一に分布させるよう、房の間のスペースを満たす。
【００６２】
一態様において、液体化粧料を適用するための方法は、約１５０〜約１８５Ｈｚの周波数、及び約１°〜１８°の間のピークトゥピークの振幅で振動して、請求項１のブラシで皮膚表面に液体化粧料を適用する工程を含む。
【００６３】
一態様において、ブラシ装置は、装置の電気機械共振器に結合したブラシヘッドであって、音波周波数で往復運動をするように構成されるブラシヘッドと、ブラシヘッド又は前記装置上の一又は複数の磁石であって、鉄含有遊離粒子を引き付けるように構成される一又は複数の磁石と、を備える。一実施形態において、磁石は、永久磁石又は電磁磁石である。一実施形態において、ブラシは、ブラシヘッド上に配置される一又は複数のブラシヘッド磁石と、ブラシヘッドに隣接した装置上に配置される一又は複数の装置磁石とを備え、一又は複数のブラシヘッド磁石は、第一の位置と第二の位置の間に配置可能であって、第一の位置は、前記ブラシヘッド磁石が磁場強度を有する位置であり、前記第二の位置は、前記ブラシヘッド磁石の磁場強度が減少するシャント位置である。一実施形態において、ブラシは、所定の時間の間オンになった後、装置を止めるタイマーを備える。一実施形態において、ブラシヘッド磁石は、第一のリング上に配置され、装置磁石は、第一のリングに隣接する第二のリング上に配置され、第一のリングは、ブラシヘッド磁石を装置磁石と位置合わせするように回転可能である。
【００６４】
一態様において、ドライ化粧料を適用するための方法は、複数の剛毛を有し、音波周波数で往復運動するブラシで、皮膚表面にドライ化粧料を適用する工程を含み、大部分の剛毛は、３〜５ミルの直径、及び０．３〜０．７インチの長さである。一実施形態において、ドライ化粧料は、ルースパウダー又はコンパクトケーキである。一実施形態において、ブラシヘッドは２°〜３°の振幅振動を有する。一実施形態において、方法は、ブラシで皮膚細胞を剥離する工程を含む。
【００６５】
一態様において、ブラシは、複数の剛毛の房を備え、各房は、ブラシの基部において、他の房とスペースで区切られており、各房の大部分の剛毛は、２ｍｍ〜５ｍｍのピーク間長さ、かつ、０．８ｍｍ以下の周期長に規定された捲縮を有する。一実施形態において、房の剛毛は曲げられており、剛毛の曲げられた部分はブラシの基部の凹部内に挿入され、曲げられた剛毛は長尺及び短尺を有する。一実施形態において、長尺の長さは、約０．０２インチ〜約１．２インチであり、長尺と短尺の長さの差は、約０．２インチ〜約０．５インチである。一実施形態において、大部分の剛毛は、約０．００２インチから約０．０２の直径を有する。一実施形態において、長尺はテーパー状で終わり、短尺は丸い端部で終わる。一実施形態において、剛毛は、ブラシの先端部において、剛毛を均一に分布させるよう、房の間のスペースを満たす。一実施形態において、各房は、二つ又はそれ以上の直径のブレンドの剛毛を有する。
【００６６】
一態様において、液体化粧料を適用するための方法は、複数の剛毛の房を有するブラシを振動させて皮膚表面に液体化粧料を適用する工程を含み、各房は、ブラシの基部において、他の房とスペースで区切られており、各房の大部分の剛毛は、２ｍｍ〜５ｍｍのピーク間長さ、かつ、０．８ｍｍ以下の周期長で規定される捲縮を有する。一実施形態において、ブラシは、約１５０〜約１８５Ｈｚの周波数、かつ、約１°〜１８°の間のピークトゥピークの振幅で振動する。
【００６７】
一態様において、ブラシ装置は、装置の電気機械共振器に結合したブラシヘッドであって、音波周波数で往復運動をするように構成されたブラシヘッドと、ブラシヘッド又は装置上の一又は複数の磁石であって、鉄含有遊離粒子を引き付けるように構成される一又は複数の磁石を備える。一実施形態において、磁石は、永久磁石又は電磁磁石である。一実施形態において、一又は複数のブラシヘッド磁石は、ブラシヘッド上に配置され、一又は複数の装置磁石は、ブラシヘッドに隣接した装置上に配置され、一又は複数のブラシヘッド磁石は、第一の位置と第二の位置の間に配置可能であり、第一の位置はブラシヘッド磁石が磁場強度を有する位置であり、第二の位置は、ブラシヘッド磁石の磁場強度が減少するシャント位置である。一実施形態において、ブラシヘッド磁石は、第一のリング上に配置され、装置磁石は、第一のリングに隣接した第二のリング上に配置され、第一のリングはブラシヘッド磁石を装置磁石と位置合わせするように回転可能である。
【００６８】
一態様において、ドライ化粧料を適用するための方法は、複数の剛毛の房を有し、音波周波数で往復運動するブラシで、皮膚表面にドライ化粧料を適用する工程を含み、各房は、ブラシの基部において、他の房とスペースで区切られており、各房の大部分の剛毛は、２ｍｍ〜５ｍｍのピーク間長さ、かつ、０．８ｍｍ以下の周期長さに規定される捲縮を有する。一実施形態において、ドライ化粧料はルースパウダー又はコンパクトである。一実施形態において、ブラシは、単一の剛毛の房を備える。一実施形態において、ブラシ剛毛は、５ミル、又はそれより小さい直径を有する。一実施形態において、ブラシ剛毛は、３ミル、又はそれより小さい直径を有する。一実施形態において、ブラシ剛毛は、０．６インチ、又はそれより短い長さを有する。一実施形態において、ブラシヘッドは２°〜３°の振動振幅を有する。
【実施例】
【００６９】
１．ブラシヘッド最適化方法
社内で検証された方法を用いて、皮膚の表面に均等に分配された製品の有効性を測定し、アンケートを用いて、化粧料の適用中及び適用後に感じられる感覚を評価し、皮膚に対し、ソニック化粧料適用をするために最適なブラシヘッドデザインの許容範囲を決定した。皮膚に対する適用量を測定するために用いた方法は、前後の画像を用いて定量化した化粧料の高さ及び被覆率に基づく。標準的な化粧料用ブラシ、及びソニックブラシを、ケーキファンデーションコンパクト上に、当量の時間の間置いた。次に、各化粧料を含んだブラシを、所定の時間の間、定められた領域における２つの頬のうちの一方に適用した。適用の前後で、Ｃａｎｆｉｅｌｄ（商標）カメラを用いて画像を撮影した。
【００７０】
２種類の剛毛を試験した。２種類の剛毛は、以下の直径：３ミル未満、３ミル、４ミル、５ミル、及び５ミル超、及び以下の長さ：０．３インチ未満、０．３インチ、０．３２５インチ、０．３７５インチ、０．４インチ、０．５インチ、０．６インチ、０．７インチ、及び０．８インチ超の、Ｔｙｎｅｘ（ナイロン）及びＳｕｐｅｒｓｏｆｔ（ＴＰＥ）を含む。直径５ミル、長さ０．３７５インチ、又はそれ以上の剛毛は、何人かの人によっては許容可能であった。しかしながら、ほとんどの被験者は、数秒以上の顔の接触に耐えられなかった。
【００７１】
【表１】
2020508716.tif 000003
【００７２】
【表２】
2020508716.tif 000004
【００７３】
２．安全性試験−ＴＥＷＬ及び発赤試験
この実施例では、０．４ミルの直径を有する剛毛から作られるブラシを用いた、制限された動きで、頬上でソニック適用に１分間暴露した結果を調査した。
【００７４】
最適なデザイン範囲が、また安全でもあることを確認するために、剥離安全性アッセイを実施した。これらの安全性調査において、時間（１分間）、一箇所で、ブラシを動かさずに、ブラシ（化粧料なし）を用いた前後で、皮膚の表面から蒸発する水蒸気の量を測定した。その領域を、非侵襲性の計器を用いて測定した。損傷を受けていない皮膚において、水分は一定の割合で蒸発し、それは、経表皮水分蒸散量（ＴＥＷＬ）として知られている。もし、皮膚が損傷を受け、表層の細胞が過度に除去された場合、例えばある人が膝を擦りむいた場合、ＴＥＷＬは急激に増加する。ＴＥＷＬの促進は、強すぎて、皮膚を荒らす製品によく見られる。ソニックブラシによるトリートメント前後の皮膚を比較することによって、各ブラシヘッドデザインの安全性のレベルが決定される。
【００７５】
上記のデータは、直径４ミル、長さ０．６インチの、Ｓｕｐｅｒｓｏｆｔ剛毛を有するブラシを用いて収集された。１分間のトリートメント時間によって、使用することが安全であることを示すＴＥＷＬレベルは変化しなかった。さらに、赤みについても変化は観察されなかった。
【００７６】
例示的な実施形態を図示し説明してきたが、本発明の意図及び範囲から逸脱しない様々な変更を加えることができることが理解されよう。
【図１】
2020508716.tif 000005
【図２】
2020508716.tif 000006
【図３】
2020508716.tif 000007
【図４】
2020508716.tif 000008
【図５】
2020508716.tif 000009
【図６Ａ】
2020508716.tif 000010
【図６Ｂ】
2020508716.tif 000011
【国際調査報告】
2020508716.tif 000012
2020508716.tif 000013
2020508716.tif 000014
2020508716.tif 000015